(57)【要約】【課題】折り曲げても振動体の変位を揃えることが可能なスピーカを提供する。【解決手段】  端子１０２Ａと端子１０２Ｃが接続され、端子１０２Ｄと端子１０２Ｆとが接続された状態となると、導電布２１Ｌと導電布２６Ｕに印加される電圧が同じとなり、導電布２１Ｕと導電布２６Ｌに印加される電圧が同じとなる。すると、振動体１０において導電布２１Ｕと導電布２１Ｌとの間にある部分と、導電布２６Ｕと導電布２６Ｌとの間にある部分とで静電力による変位の方向が同じとなり、両部分から発生する音が同相になるため、両部分で発生した音が打ち消されることがない。【選択図】図５
2009206758.tif 000002
【特許請求の範囲】
【請求項１】
導電性を有する振動体と、
前記振動体の一方の面側に前記振動体から離間して配置された第１電極および第３電極と、
前記振動体から見て前記第１電極と前記第３電極とが配置されている側と反対側に前記振動体から離間して配置され、前記第１電極と対向した第２電極および前記第３電極と対向した第４電極と、
前記各電極の接続状態を、前記第１電極と前記第３電極が電気的に接続されつつ、前記第２電極と前記第４電極が電気的に接続された状態、または、前記第２電極と前記第３電極が電気的に接続されつつ、前記第１電極と前記第４電極が電気的に接続された状態に切り替える制御部とを有し、
前記第１電極と前記第３電極とが対向する状態と、前記１電極と前記第３電極とが対向しない状態とに変形可能な折り畳み型スピーカ。
【請求項２】
前記第１電極と前記第３電極が対向した状態を検出する検出部を有し、
前記制御部は、前記検出部により電極が対向した状態が検出された場合には、各電極の接続状態を前記第２電極と前記第３電極が電気的に接続されつつ、前記第１電極と前記第４電極が電気的に接続された状態に自動的に切り替えること
を特徴とする請求項１に記載の折り畳み型スピーカ。
【発明の詳細な説明】
【技術分野】
【０００１】
本発明は、スピーカに関する。
【背景技術】
【０００２】
スピーカの分野においては、静電型スピーカと呼ばれるスピーカがある。この静電型スピーカは、間隔を開けて向かい合う２枚の電極と、この２枚の電極の間に挿入された導電性を有するシート状の振動体とから構成されており、振動体に所定のバイアス電圧を印加しておき、電極に印加する電圧を変化させると、振動体に作用する静電力が変化し、これにより振動体が変位する。この印加電圧を入力される音響信号に応じて変化させれば、それに応じて振動体は変位を繰り返し（すなわち振動し）、音響信号に応じた再生波が振動体から発生する。
そして、このような静電型スピーカにおいては、非特許文献１に記載されているように、２枚の電極および振動体を柔らかい材料のものとし、様々な形に変形させることができるフレキシブル形の静電型スピーカも考案されている。
【０００３】
【非特許文献１】武岡成人、外５名、「コンデンサマイク／スピーカを用いた１ｂｉｔ波面記録再生システム」、電子情報通信学会技術研究報告．ＥＡ，応用音響、電子情報通信学会、平成１７年６月、ｐｐ．２５−３０
【発明の開示】
【発明が解決しようとする課題】
【０００４】
さて、非特許文献１に記載されているフレキシブル形の静電型スピーカは、自由に曲げることができるため、折り曲げた状態とすることも可能であり、折り曲げたり広げたりしてサイズを変えることもできる。そして、折り曲げた状態であっても、振動体と電極との間の距離が保たれていれば、電極に印加する電圧が変化した時に振動体に作用する静電力が変化し、これにより振動体が変位する。
しかしながら、二つ折りにした状態にあっては、振動体の変位する方向が二つ折りの一方の側と他方の側とで逆となり、出力される音の位相が逆となってしまうため、音が打ち消されてしまいスピーカとして機能しなくなってしまう。
【０００５】
本発明は、上述した背景の下になされたものであり、折り曲げても振動体の変位を揃えることが可能なスピーカを提供することを目的とする。
【課題を解決するための手段】
【０００６】
上述した課題を解決するために本発明は、導電性を有する振動体と、前記振動体の一方の面側に前記振動体から離間して配置された第１電極および第３電極と、前記振動体から見て前記第１電極と前記第３電極とが配置されている側と反対側に前記振動体から離間して配置され、前記第１電極と対向した第２電極および前記第３電極と対向した第４電極と、前記各電極の接続状態を、前記第１電極と前記第３電極が電気的に接続されつつ、前記第２電極と前記第４電極が電気的に接続された状態、または、前記第２電極と前記第３電極が電気的に接続されつつ、前記第１電極と前記第４電極が電気的に接続された状態に切り替える制御部とを有し、前記第１電極と前記第３電極とが対向する状態と、前記１電極と前記第３電極とが対向しない状態とに変形可能な折り畳み型スピーカを提供する。
【０００７】
本発明においては、前記第１電極と前記第３電極が対向した状態を検出する検出部を有し、前記制御部は、前記検出部により電極が対向した状態が検出された場合には、各電極の接続状態を前記第２電極と前記第３電極が電気的に接続されつつ、前記第１電極と前記第４電極が電気的に接続された状態に自動的に切り替える構成であってもよい。
【発明の効果】
【０００８】
本発明によれば、折り曲げても振動体の変位を揃えることが可能となる。
【発明を実施するための最良の形態】
【０００９】
［第１実施形態］
図１は、本発明の一実施形態に係る静電型スピーカ１の外観を模式的に示した図、図２，３は、静電型スピーカ１の断面を模式的に示した図、図４，５は、静電型スピーカ１の電気的構成を示した図である。なお、図中の各構成要素の寸法は、構成要素の形状を容易に理解できるように実際の寸法とは異ならせてある。また、図中、「○」の中に「・」が記載されたものは図面の裏から表に向かう矢印を意味し、「○」の中に「×」が記載されたものは図面の表から裏に向かう矢印を意味するものとする。
【００１０】
（静電型スピーカ１の各部の構成）
まず、静電型スピーカ１を構成する各部について説明する。振動体１０は、例えば、ＰＥＴ（polyethylene terephthalate、ポリエチレンテレフタレート）、ＰＰ（polypropylene、ポリプロピレン）などのフィルムに、金属膜を蒸着あるいは導電性塗料を塗布したものであり、その厚さは、数μｍ〜数十μｍ程度の厚さとなっている。
【００１１】
弾性部材３０Ｕ，３０Ｌは、中綿を熱を加えて圧縮したものであって弾性と通気性があり、その形状は矩形となっている。本実施形態においては、弾性部材３０Ｕ，３０Ｌの構成は同じであるため、両者を区別する必要が特に無い場合は「Ｌ」および「Ｕ」の記載を省略する。弾性部材３０は、外部から力を加えられると変形し、外部から加えられた力が取り除かれると元の形状に戻る。また、弾性部材３０Ｕと弾性部材３０ＬのＺ方向の高さは、いずれも同じとなっている。なお、弾性部材３０は、外部から力を加えられると変形し、外部から加えられた力が取り除かれると元の形状に戻って通気性を有するものであれば中綿に限定されず、例えば、合成樹脂をスポンジ状や不織布状に形成したものであってもよい。
【００１２】
電極２０Ｕは、導電性を有する糸で織られた導電布２１Ｕと、絶縁性を有する糸で織られた絶縁布２２Ｕとで構成されており、導電布２１Ｕの全体を絶縁布２２Ｕで包んだ構造となっている。電極２０Ｕを構成する導電布２１Ｕと絶縁布２２Ｕは、糸を織って形成されて空気の通過が可能となっているため、音響透過性が確保されている。
また、電極２０Ｌ、電極２５Ｕおよび電極２５Ｌも導電性を有する布と絶縁性を有する布とで構成されており、電極２０Ｌは導電布２１Ｌと絶縁布２２Ｌで構成され、電極２５Ｕは導電布２６Ｕと絶縁布２７Ｕで構成され、電極２５Ｌは導電布２６Ｌと絶縁布２７Ｌで構成されている。
【００１３】
糸４０は、電極２０Ｕ，２０Ｌ、電極２５Ｕ，２５Ｌ、弾性部材３０および振動体１０を縫い合わせるための糸であり、その素材は、木綿など絶縁性を有する素材となっている。なお、図２，３においては糸４０の図示を省略している。
【００１４】
制御部１００は、端子１０１Ａ、１０１Ｂ，１０１Ｃと、スライドスイッチ１０２とを有しており、導線（図示略）で導電布２１Ｕ，導電布２１Ｌ、導電布２６Ｕ，２６Ｌおよび振動体１０に接続されている。
端子１０１Ａは、導電布２１Ｕ，２１Ｌ、導電布２６Ｕに供給する信号が入力される端子であり、端子１０１Ｃは、導電布２１Ｕ，２１Ｌ、導電布２６Ｌに供給する信号が入力される端子であり、端子１０１Ｂは、振動体１０にバイアス電圧を印加する電源が接続される端子である。
また、スライドスイッチ１０２は、導電布２１Ｕ，２１Ｌに供給する信号を切り替えるためのスイッチである。
【００１５】
（静電型スピーカ１の全体構成）
図２に示したように、静電型スピーカ１においては、振動体１０が弾性部材３０Ｕと弾性部材３０Ｌとで挟まれている。また、弾性部材３０Ｕにおいて振動体１０と反対側には電極２０Ｕと電極２５Ｕとが隙間を開けて配置され、弾性部材３０Ｌにおいて振動体１０と反対側には電極２０Ｌと電極２５Ｌとが隙間を開けて配置されている。即ち、電極２０Ｕと電極２０Ｌは弾性部材３０および振動体１０を挟んで対向し、電極２５Ｕと電極２５Ｌも弾性部材３０および振動体１０を挟んで対向する構造となっている。
【００１６】
なお、電極２０Ｕ，２０Ｌ、電極２５Ｕ，２５Ｌ、振動体１０および弾性部材３０は、各部材を貫いた糸４０で縫い合わされて拘束されているため、変形させても電極２０Ｕ，２０Ｌ、電極２５Ｕ，２５Ｌ、弾性部材３０および振動体１０がずれることがない。また、電極２０Ｕ，２０Ｌ、電極２５Ｕ，２５Ｌは絶縁性を有する布（絶縁布２２Ｕ，絶縁布２２Ｌ，絶縁布２７Ｕ，絶縁布２７Ｌ）で覆われているため、電極同士が接触しても短絡することがない。
また、各電極と弾性部材３０および振動体１０は、柔軟性を有しているため糸４０で縫い合わされた状態で二つ折りの状態などに自在に変形させることが可能となっている。
【００１７】
そして、制御部１００は、積み重ねられた電極２０Ｌ、弾性部材３０Ｌ、振動体１０、弾性部材３０Ｕ、電極２０Ｌの側面に取り付けられており、制御部１００が有するスイッチおよび端子１０１Ａ〜１０１Ｃは、後述するように導電布２１Ｕ，２１Ｌ、導電布２６Ｕ，２６Ｌ、および振動体１０に電気的に接続されている。
【００１８】
（静電型スピーカ１の電気的構成）
次に、静電型スピーカ１の電気的構成について説明する。
図４に示したように、静電型スピーカ１は変圧器５０、外部から交流の音響信号が入力される入力部６０、振動体１０に対して直流バイアスを与えるバイアス電源７０とを備えている。バイアス電源７０は、プラス側が端子１０１Ｂに接続され、マイナス側が変圧器５０の中点（センタータップ）に接続されている。また、変圧器５０の出力側の一端は端子１０１Ａに接続され、変圧器５０の出力側のもう一端は端子１０１Ｃに接続されている。また、変圧器５０の入力側は入力部６０に接続されている。
スライドスイッチ１０２は、双極双投のスイッチであり、端子１０２Ａ〜１０２Ｆを有している。端子１０２Ａは導電布２１Ｌに接続されており、端子１０２Ｄは導電布２１Ｕに接続されている。また、端子１０２Ｂと端子１０２Ｆは端子１０１Ｃに接続されており、端子１０２Ｃと端子１０２Ｅは端子１０１Ａに接続されている。
【００１９】
（静電型スピーカ１の動作）
次に静電型スピーカ１の動作について説明する。
静電型スピーカ１が、図２に示したように広げられた状態にあり、スライドスイッチ１０２において、端子１０２Ａと端子１０２Ｂが接続され、端子１０２Ｄと端子１０２Ｅとが接続されている場合、導電布２１Ｕと導電布２６Ｕには、変圧器５０から端子１０１Ａを介して供給された信号が入力されることとなり、導電布２１Ｕと導電布２６Ｕとに印加される電圧が同じとなる。また、導電布２１Ｌと導電布２６Ｌには、変圧器５０から端子１０１Ｃを介して供給された信号が入力されることとなり、導電布２１Ｌと導電布２６Ｌとに印加される電圧が同じとなる。
【００２０】
ここで、入力部６０に音響信号が入力されると、入力された音響信号に応じた電圧が、各導電布に印加される。そして、印加された電圧によって導電布２１Ｕと導電布２１Ｌとの間に電位差が生じると、振動体１０において導電布２１Ｕと導電布２１Ｌとの間にある部分には、導電布２１Ｕと導電布２１Ｌのいずれかの側へ引き寄せられるような静電力が働く。
【００２１】
例えば、入力部６０に音響信号が入力されて端子１０１Ａにプラスの電圧が印加され、端子１０１Ｃにマイナスの電圧が印加されると、導電布２１Ｕと導電布２６Ｕにはプラスの電圧が印加され、導電布２１Ｌと導電布２６Ｌにはマイナスの電圧が印加される。
ここで、振動体１０にはバイアス電源７０によりプラスの電圧が印加されているため、振動体１０は、プラスの電圧が印加されている導電布２１Ｕおよび導電布２６Ｕと反発する一方、マイナスの電圧が印加されている導電布２１Ｌおよび導電布２６Ｌに吸引され、導電布２１Ｌと導電布２６Ｌ側（Ｚ方向と反対方向）へ変位する。
【００２２】
また、入力部６０に音響信号が入力されて端子１０１Ａにマイナスの電圧が印加され、端子１０１Ｃにプラスの電圧が印加されると、導電布２１Ｕと導電布２６Ｕにはマイナスの電圧が印加され、導電布２１Ｌと導電布２６Ｌにはプラスの電圧が印加される。
ここでは、振動体１０は、プラスの電圧が印加されている導電布２１Ｌおよび導電布２６Ｌと反発する一方、マイナスの電圧が印加されている導電布２１Ｕおよび導電布２６Ｕに吸引され、導電布２１Ｕ，２６Ｕ側（Ｚ方向）へ変位する。
【００２３】
このように、振動体１０が音響信号に応じて図のＺ方向とＺ方向の逆方向に変位し(撓み)、その変位方向が逐次変わることによって振動となり、その振動状態（振動数、振幅、位相）に応じた音が振動体１０から発生する。発生した音は、少なくとも図２において上側に示された電極２０Ｕと電極２５Ｌまたは、図２において下側に示された電極２０Ｌと電極２５Ｌの一方を通り抜けて静電型スピーカ１の外部に放射される。
【００２４】
次に、図３に示したように静電型スピーカ１を二つ折りにした場合の動作について説明する。まず、静電型スピーカ１が、図３に示したように二つ折りにした状態にあり、スライドスイッチ１０２において、端子１０２Ａと端子１０２Ｂが接続され、端子１０２Ｄと端子１０２Ｅとが接続された状態であると、導電布２１Ｕと導電布２６Ｕには、変圧器５０から端子１０１Ａを介して供給された信号が入力されることとなり、導電布２１Ｕと導電布２６Ｕとに印加される電圧が同じとなる。また、導電布２１Ｌと導電布２６Ｌには、変圧器５０から端子１０１Ｃを介して供給された信号が入力されることとなり、導電布２１Ｌと導電布２６Ｌとに印加される電圧が同じとなる。
【００２５】
ここで、入力部６０に音響信号が入力され、端子１０１Ａにプラスの電圧が印加され、端子１０１Ｃにマイナスの電圧が印加されると、導電布２１Ｕと導電布２６Ｕにはプラスの電圧が印加され、導電布２１Ｌと導電布２６Ｌにはマイナスの電圧が印加される。
すると振動体１０は、プラスの電圧が印加されている導電布２１Ｕおよび導電布２６Ｕと反発する一方、マイナスの電圧が印加されている導電布２１Ｌおよび導電布２６Ｌに吸引され、導電布２１Ｌ，２６Ｌ側へ変位する。
即ち、振動体１０において導電布２１Ｕと導電布２１Ｌとの間にある部分は、図３においてＺ方向に変位し、振動体１０において導電布２６Ｕと導電布２６Ｌとの間にある部分は、図３においてＺ方向と反対側へ変位し、振動体１０において導電布２１Ｕと導電布２１Ｌとの間にある部分と、振動体１０において導電布２６Ｕと導電布２６Ｌとの間にある部分とで変位の方向が逆となる。
【００２６】
また、入力部６０に音響信号が入力され、端子１０１Ａにマイナスの電圧が印加され、端子１０１Ｃにプラスの電圧が印加されると、導電布２１Ｕと導電布２６Ｕにはマイナスの電圧が印加され、導電布２１Ｌと導電布２６Ｌにはプラスの電圧が印加される。
すると、振動体１０は、プラスの電圧が印加されている導電布２１Ｌおよび導電布２６Ｌと反発する一方、マイナスの電圧が印加されている導電布２１Ｕおよび導電布２６Ｕに吸引され、導電布２１Ｕ，２６Ｕ側へ変位する。
即ち、振動体１０において導電布２１Ｕと導電布２１Ｌとの間にある部分は、図３においてＺ方向と反対側に変位し、振動体１０において導電布２６Ｕと導電布２６Ｌとの間にある部分は、図３においてＺ方向へ変位し、ここでも振動体１０において導電布２１Ｕと導電布２１Ｌとの間にある部分と、振動体１０において導電布２６Ｕと導電布２６Ｌとの間にある部分とで変位の方向が逆となる。
【００２７】
このように、静電型スピーカ１を二つ折りにして音響信号が入力された時に導電布２１Ｕと導電布２６Ｕに印加される電圧が同じであり、導電布２１Ｌと導電布２６Ｌに印加される電圧が同じであると、振動体１０において導電布２１Ｕと導電布２１Ｌとの間にある部分と、振動体１０において導電布２６Ｕと導電布２６Ｌとの間にある部分は互いに反対方向に変位することとなる。
すると、振動体１０において導電布２１Ｕと導電布２１Ｌとの間にある部分から発生する音は、振動体１０において導電布２６Ｕと導電布２６Ｌとの間にある部分から発生する音と逆相になり、発生した音が打ち消されてしまい、発音がされないこととなる。
【００２８】
次に、静電型スピーカ１が、図３に示したように二つ折りにした状態にあり、スライドスイッチ１０２が操作されて、端子１０２Ａと端子１０２Ｃが接続され、端子１０２Ｄと端子１０２Ｆとが接続された状態となると、導電布２１Ｕには、変圧器５０から端子１０１Ｃを介して供給された信号が入力されることとなり、導電布２６Ｕには、変圧器５０から端子１０１Ａを介して供給された信号が入力されることとなる。
また、導電布２１Ｌには変圧器５０から端子１０１Ａを介して供給された信号が入力されることとなり、導電布２６Ｌには、変圧器５０から端子１０１Ｃを介して供給された信号が入力されることとなる。即ち、導電布２１Ｌと導電布２６Ｕに印加される電圧が同じとなり、導電布２１Ｕと導電布２６Ｌに印加される電圧が同じとなる。
【００２９】
ここで、入力部６０に音響信号が入力され、端子１０１Ａにプラスの電圧が印加され、端子１０１Ｃにマイナスの電圧が印加されると、導電布２１Ｌと導電布２６Ｕにはプラスの電圧が印加され、導電布２１Ｕと導電布２６Ｌにはマイナスの電圧が印加される。
すると、振動体１０は、プラスの電圧が印加されている導電布２１Ｌおよび導電布２６Ｕと反発する一方、マイナスの電圧が印加されている導電布２１Ｕおよび導電布２６Ｌに吸引され、導電布２１Ｕ側と導電布２６Ｌ側へ変位する。
即ち、振動体１０において導電布２１Ｕと導電布２１Ｌとの間にある部分は、図３においてＺ方向と反対側に変位し、振動体１０において導電布２６Ｕと導電布２６Ｌとの間にある部分も、図３においてＺ方向と反対側へ変位し、振動体１０において導電布２１Ｕと導電布２１Ｌとの間にある部分と、振動体１０において導電布２６Ｕと導電布２６Ｌとの間にある部分とで変位の方向が同じとなる。
【００３０】
また、入力部６０に音響信号が入力され、端子１０１Ａにマイナスの電圧が印加され、端子１０１Ｃにプラスの電圧が印加されると、導電布２１Ｌと導電布２６Ｕにはマイナスの電圧が印加され、導電布２１Ｕと導電布２６Ｌにはプラスの電圧が印加される。
ここで、振動体１０は、プラスの電圧が印加されている導電布２１Ｕおよび導電布２６Ｌと反発する一方、マイナスの電圧が印加されている導電布２１Ｌおよび導電布２６Ｕに吸引され、導電布２１Ｌと側と導電布２６Ｕ側へ変位する。
即ち、振動体１０において導電布２１Ｕと導電布２１Ｌとの間にある部分は、図３においてＺ方向側に変位し、振動体１０において導電布２６Ｕと導電布２６Ｌとの間にある部分も、図３においてＺ方向へ変位し、ここでも振動体１０において導電布２１Ｕと導電布２１Ｌとの間にある部分と、振動体１０において導電布２６Ｕと導電布２６Ｌとの間にある部分とで変位の方向が同じとなる。
【００３１】
このように、静電型スピーカ１を二つ折りにし、音響信号が入力された時に導電布２１Ｕと導電布２６Ｌに印加される電圧が同じであり、導電布２１Ｌと導電布２６Ｕに印加される電圧が同じであると、振動体１０において導電布２１Ｕと導電布２１Ｌとの間にある部分と、振動体１０において導電布２６Ｕと導電布２６Ｌとの間にある部分は互いに同じ方向に変位することとなる。
すると、振動体１０において導電布２１Ｕと導電布２１Ｌとの間にある部分から発生する音は、振動体１０において導電布２６Ｕと導電布２６Ｌとの間にある部分から発生する音と同相になり、発生した音が打ち消されることがなく、静電型スピーカ１の外部に放射される。
【００３２】
［第２実施形態］
次に、本発明の第２実施形態について説明する。図６は、本発明の一実施形態に係る静電型スピーカ１Ａの外観を模式的に示した図、図７，９は、静電型スピーカ１Ａの断面を模式的に示した図、図８は、静電型スピーカ１Ａの電気的構成を示した図である。なお、図中の各構成要素の寸法は、構成要素の形状を容易に理解できるように実際の寸法とは異ならせてある。
【００３３】
（静電型スピーカ１Ａの各部の構成）
まず、静電型スピーカ１Ａを構成する各部について説明する。振動体１０は、第１実施形態と同様に、ＰＥＴ、ＰＰなどのフィルムに、金属膜を蒸着あるいは導電性塗料を塗布したものである。
スペーサ３５Ｕ，３５Ｌは、絶縁体で形成されており、その形状は角管と同じ形状となっている。なお、本実施形態においては、スペーサ３５Ｕとスペーサ３５ＬのＺ方向の高さは、いずれも同じとなっている。
【００３４】
電極２０ＵＡは、導電性を有する金属で形成された電極板２１ＵＡと、絶縁性を有する合成樹脂で形成されたカバー２２ＵＡとで構成されており、電極板２１ＵＡの全体をカバー２２ＵＡで包んだ構造となっている。
また、電極２０ＬＡ、電極２５ＵＡおよび電極２５ＬＡも導電性を有する電極板と絶縁性を有するカバーとで構成されており、電極２０ＬＡは電極板２１ＬＡとカバー２２ＬＡで構成され、電極２５ＵＡは電極板２６ＵＡとカバー２７ＵＡで構成され、電極２５ＬＡは電極板２６ＬＡとカバー２７ＬＡで構成されている。
【００３５】
制御部１００は、第１実施形態と同じ端子１０１Ａ、１０１Ｂ，１０１Ｃと、スライドスイッチ１０２とを有しており、導線（図示略）で電極板２１ＵＡ，電極板２１ＬＡ、電極板２６ＵＡ，電極板２６ＬＡおよび振動体１０に接続されている。
端子１０１Ａは、電極板２１ＵＡ，２１ＬＡ、電極板２６ＵＡに供給する信号が入力される端子であり、端子１０１Ｃは、電極板２１ＵＡ，２１ＬＡ、電極板２６ＬＡに供給する信号が入力される端子であり、端子１０１Ｂは、振動体１０にバイアス電圧を印加する電源が接続される端子である。
また、スライドスイッチ１０２は、電極板２１ＵＡ，電極板２１ＬＡに供給する信号を切り替えるためのスイッチである。
【００３６】
（静電型スピーカ１Ａの全体構成）
図７に示したように、静電型スピーカ１Ａは、静電型スピーカ１Ａ−１と静電型スピーカ１Ａ−２の２つのスピーカをヒンジ２００で接続した構成となっており、ヒンジ２００で二つ折りにすることができる。
静電型スピーカ１Ａ−１においては、振動体１０がスペーサ３５Ｕとスペーサ３５Ｌとで挟まれて両方のスペーサに固着されている。また、スペーサ３５Ｕにおいて振動体１０と反対側には電極２０ＵＡが固着され、スペーサ３５Ｌにおいて振動体１０と反対側には電極２０ＬＡが固着されている。即ち、電極２０ＵＡと電極２０ＬＡが、スペーサ３５Ｕ，３５Ｌおよび振動体１０を挟んで対向した構成となっている。
また、静電型スピーカ１Ａ−２においては、振動体１０がスペーサ３５Ｕとスペーサ３５Ｌとで挟まれて両方のスペーサに固着されている。また、スペーサ３５Ｕにおいて振動体１０と反対側には電極２５ＵＡが固着され、スペーサ３５Ｌにおいて振動体１０と反対側には電極２５ＬＡが固着されている。即ち、電極２５ＵＡと電極２５ＬＡが、スペーサ３５Ｕ，３５Ｌおよび振動体１０を挟んで対向した構成となっている。
【００３７】
なお、電極２０ＵＡ，２０ＬＡ，電極２５ＵＡ，２５ＬＡは絶縁性を有するカバー（カバー２２ＵＡ，カバー２２ＬＡ，カバー２７ＵＡ，カバー２７ＬＡ）で覆われているため、電極同士が接触しても短絡することがない。
【００３８】
制御部１００は、静電型スピーカ１Ａ−１の側面に取り付けられており、制御部１００が有するスイッチおよび端子１０１Ａ〜１０１Ｃは、後述するように電極板２１ＵＡ，２１ＬＡ、電極板２６ＵＡ，２６ＬＡ、および振動体１０に電気的に接続されている。
【００３９】
（静電型スピーカ１Ａの電気的構成）
次に、静電型スピーカ１Ａの電気的構成について説明する。
図８に示したように、静電型スピーカ１Ａは、第１実施形態と同じ変圧器５０、入力部６０、バイアス電源７０とを備えている。
バイアス電源７０は、プラス側が端子１０１Ｂに接続され、マイナス側が変圧器５０の中点（センタータップ）に接続されている。また、変圧器５０の出力側の一端は端子１０１Ａに接続され、変圧器５０の出力側のもう一端は端子１０１Ｃに接続されている。また、変圧器５０の入力側は入力部６０に接続されている。
またスライドスイッチ１０２においては、端子１０２Ａは電極板２１ＬＡに接続されており、端子１０２Ｄは電極板２１ＵＡに接続されている。また、端子１０２Ｂと端子１０２Ｆは端子１０１Ｃに接続されており、端子１０２Ｃと端子１０２Ｅは端子１０１Ａに接続されている。
【００４０】
（静電型スピーカ１Ａの動作）
次に静電型スピーカ１Ａの動作について説明する。静電型スピーカ１Ａが、図６に示したように広げられた状態にあり、スライドスイッチ１０２において、端子１０２Ａと端子１０２Ｂが接続され、端子１０２Ｄと端子１０２Ｅとが接続されている場合、電極板２１ＵＡと電極板２６ＵＡには、変圧器５０から端子１０１Ａを介して供給された信号が入力されることとなり、印加される電圧が同じとなる。また、電極板２１ＬＡと電極板２６ＬＡには、変圧器５０から端子１０１Ｃを介して供給された信号が入力されることとなり、印加される電圧が同じとなる。
【００４１】
そして、入力部６０に音響信号が入力されると、入力された音響信号に応じた電圧が、各電極板に印加される。ここで、電極板２１ＵＡと電極板２６ＵＡに印加される電圧が同じとなり、電極板２１ＬＡと電極板２６ＬＡに印加される電圧が同じとなる。このため、静電型スピーカ１Ａ−１の振動体１０と静電型スピーカ１Ａ−２の振動体１０が音響信号に応じてする振動は同相となり、振動体１０から発生した音は、静電型スピーカ１Ａ−１と静電型スピーカ１Ａ−２の外部に放射される。
【００４２】
次に、図９に示したようにヒンジ２００で静電型スピーカ１Ａを二つ折りにして電極２０ＵＡと電極２５ＵＡを対向させた場合の動作について説明する。まず、スライドスイッチ１０２において、端子１０２Ａと端子１０２Ｂが接続され、端子１０２Ｄと端子１０２Ｅとが接続されている場合、電極板２１ＵＡと電極板２６ＵＡに印加される電圧が同じとなり、また、電極板２１ＬＡと電極板２６ＬＡに印加される電圧が同じとなる。
【００４３】
ここで、入力部６０に音響信号が入力され、端子１０１Ａにプラスの電圧が印加され、端子１０１Ｃにマイナスの電圧が印加されると、電極板２１ＵＡと電極板２６ＵＡにはプラスの電圧が印加され、電極板２１ＬＡと電極板２６ＬＡにはマイナスの電圧が印加される。すると、静電型スピーカ１Ａ−１の振動体１０は、マイナスの電圧が印加されている電極板２１ＬＡに吸引されて電極板２１ＬＡ側へ変位し、静電型スピーカ１Ａ−２の振動体１０は、マイナスの電圧が印加されている電極板２６ＬＡに吸引されて電極板２６ＬＡ側へ変位する。即ち、静電型スピーカ１Ａ−１の振動体１０は、図９においてＺ方向に変位し、静電型スピーカ１Ａ−２の振動体１０は、Ｚ方向と反対方向へ変位して、互いの振動体１０の変位方向が逆となる。
【００４４】
また、端子１０１Ａにマイナスの電圧が印加され、端子１０１Ｃにプラスの電圧が印加されると、振動体１０の変位の方向は、端子１０１Ａにプラスの電圧が印加され、端子１０１Ｃにマイナスの電圧が印加されていた時と逆となり、静電型スピーカ１Ａ−１の振動体１０は、電極板２１ＵＡに吸引されて電極板２１ＵＡ側へ変位し、静電型スピーカ１Ａ−２の振動体１０は、電極板２６ＵＡに吸引されて電極板２６ＵＡ側へ変位する。ここでも静電型スピーカ１Ａ−１の振動体１０と、静電型スピーカ１Ａ−２の振動体１０は、振動体１０の変位方向が逆となる。
【００４５】
このように、静電型スピーカ１Ａ−１の振動体１０と、静電型スピーカ１Ａ−２の振動体１０とで変位の方向が逆となると、静電型スピーカ１Ａ−１の振動体１０から発生する音は、静電型スピーカ１Ａ−２の振動体１０から発生する音と逆相になり、発生した音が打ち消されてしまい、発音がされないこととなる。
【００４６】
次に、図９に示したようにヒンジ２００で静電型スピーカ１Ａを二つ折りにし、スライドスイッチ１０２において、端子１０２Ａと端子１０２Ｃが接続され、端子１０２Ｄと端子１０２Ｆとが接続された状態において、端子１０１Ａにプラスの電圧が印加される一方、端子１０１Ｃにマイナスの電圧が印加されると、電極板２１ＬＡと電極板２６ＵＡにはプラスの電圧が印加され、電極板２１ＵＡと電極板２６ＬＡにはマイナスの電圧が印加される。
すると、静電型スピーカ１Ａ−１の振動体１０は、電極板２１ＵＡに吸引されて電極板２１ＵＡ側へ変位し、静電型スピーカ１Ａ−２の振動体１０は、電極板２６ＬＡに吸引されて電極板２６ＬＡ側へ変位する。即ち、静電型スピーカ１Ａ−１の振動体１０は、図９においてＺ方向と反対方向に変位し、静電型スピーカ１Ａ−２の振動体１０も、Ｚ方向と反対方向へ変位して、互いの振動体１０の変位方向が同じとなる。
【００４７】
また、端子１０１Ａにマイナスの電圧が印加され、端子１０１Ｃにプラスの電圧が印加されると、振動体１０の変位の方向は、端子１０１Ａにプラスの電圧が印加され、端子１０１Ｃにマイナスの電圧が印加されていた時と逆となり、静電型スピーカ１Ａ−１の振動体１０は、電極板２１ＬＡに吸引されて電極板２１ＬＡ側へ変位し、静電型スピーカ１Ａ−２の振動体１０は、電極板２６ＵＡに吸引されて電極板２６ＵＡ側へ変位する。即ち、ここでも静電型スピーカ１Ａ−１の振動体１０と、静電型スピーカ１Ａ−２の振動体１０は、振動体１０の変位方向が同じとなる。
【００４８】
このように、静電型スピーカ１Ａ−１の振動体１０と、静電型スピーカ１Ａ−２の振動体１０とで変位の方向が同じとなると、静電型スピーカ１Ａ−１の振動体１０から発生する音は、静電型スピーカ１Ａ−２の振動体１０から発生する音と同相になり、発生した音が打ち消されることがなく、静電型スピーカ１Ａの外部に放射される。
【００４９】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００５０】
面ファスナーを絶縁布２２Ｕと絶縁布２７Ｕの表面に配置し、静電型スピーカ１を折り畳んだ時に面ファスナーで絶縁布２２Ｕと絶縁布２７Ｕが離れないようにしてもよい。また、面ファスナーではなく、ホックにより絶縁布２２Ｕと絶縁布２７Ｕが離れないようにしてもよい。
【００５１】
本発明においては、制御部１００内にマイクロコンピュータを配置し、静電型スピーカ１が二つ折りにされたことを検知する検出部を設け、この検出部により二つ折りされたことが検知された場合には、マイクロコンピュータがスライドスイッチ１０２を自動的に操作して導電布２１Ｕ（電極板２１ＵＡ），導電布２１Ｌ（電極板２１ＬＡ）に供給する信号を自動的に切り替えるようにしてもよい。
検出部の一例としては、ボタン式のスイッチがある。ボタン式のスイッチを電極２０Ｕの表面に配置し、静電型スピーカ１が二つ折りされて電極２０Ｕと電極２５Ｕとが接触し、ボタン式スイッチのボタンが電極２５Ｕで押されてスイッチが通電すると、この通電をマイクロコンピュータが検出し、自動的に端子１０２Ａと端子１０２Ｃを接続し、端子１０２Ｄと端子１０２Ｆを接続する。この構成によれば、人の手を煩わすことなく、各電極に供給する信号を容易に切り替えることができる。
【００５２】
上述した実施形態では、静電型スピーカ１や静電型スピーカ１Ａは二つ折りにされているが、折り方は二つ折りに限定されるものではない。例えば、三つ折りや四つ折りなど二つ折り以外の折り方でもよい。なお、二つ折り以外におる場合にも、スイッチで各導電布や各電極板へ供給する信号を切り替えて振動体１０の振動が同相となるようにする。
【００５３】
本発明においては、スライドスイッチ１０２を単極単投のスイッチとし、静電型スピーカが広げられている状態にあっては、導電布２１Ｕ（電極板２１ＵＡ）と導電布２６Ｕ（電極板２６ＵＡ）に同じ信号を供給しつつ、導電布２１Ｌ（電極板２１ＬＡ）と導電布２６Ｌ（電極板２６ＬＡ）に同じ信号を供給し、２つ折りにした時には導電布２１Ｕ（電極板２１ＵＡ）と導電布２１Ｌ（電極板２１ＬＡ）に信号を供給しないようにしてもよい。
この構成にあっては、２つ折りにして導電布２１Ｕ（電極板２１ＵＡ）と導電布２１Ｌ（電極板２１ＬＡ）に信号が供給されないと、振動体１０において導電布２１Ｕ（電極板２１ＵＡ）と導電布２１Ｌ（電極板２１ＵＡ）の間にある部分は変位しないので、振動体１０において導電布２６Ｕ（電極板２６ＵＡ）と導電布２６Ｌ（電極板２６ＬＡ）の間にある部分から発生する音が打ち消されることがない。
【００５４】
上述した第１実施形態においては、導電布の全体を絶縁布で包んだ構成となっているが、図１０に示したように、弾性部材の上に導電布２１Ｕ，２６Ｕ，２１Ｌ，２６Ｌを配置し、導電布２１Ｕ，２６Ｕを弾性部材と一枚の絶縁布２２ＵＢで挟み、導電布２１Ｌ，２６Ｌを弾性部材と一枚の絶縁布２２ＬＢで挟んで糸４０で縫い合わせてもよい。
【図面の簡単な説明】
【００５５】
【図１】本発明の一実施形態に係る静電型スピーカ１の模式図である。
【図２】静電型スピーカ１のＡ−Ａ線断面図である
【図３】静電型スピーカ１を二つ折りした時の断面図である。
【図４】静電型スピーカ１の電気的構成を示した図である。
【図５】静電型スピーカ１の電気的構成を示した図である。
【図６】本発明の第２実施形態に係る静電型スピーカ１Ａの模式図である。
【図７】静電型スピーカ１ＡのＢ−Ｂ線断面図である。
【図８】静電型スピーカ１Ａの電気的構成を示した図である。
【図９】静電型スピーカ１Ａを二つ折りした時の断面図である。
【図１０】本発明の変形例に係る静電型スピーカの断面図である。
【符号の説明】
【００５６】
１，１Ａ，１Ａ−１，１Ａ−２・・・静電型スピーカ、１０・・・振動体、２０Ｕ，２０ＵＡ，２０Ｌ，２０ＬＡ，２５Ｕ，２５ＵＡ，２５Ｌ，２５ＬＡ・・・電極、２１Ｕ，２１Ｌ，２６Ｕ，２６Ｌ・・・導電布、２１ＵＡ，２１ＬＡ，２６ＵＡ，２６ＬＡ・・・電極板、２２Ｕ，２２Ｌ，２７Ｕ，２７Ｌ・・・絶縁布、２２ＵＡ，２２ＬＡ，２７ＵＡ，２７ＬＡ・・・カバー、３０Ｕ，３０Ｌ・・・弾性部材、３５Ｕ，３５Ｌ・・・スペーサ、４０・・・糸、５０・・・変圧器、６０・・・入力部、７０・・・バイアス電源、１００・・・制御部、１０１Ａ〜１０１Ｃ・・・端子、１０２・・・スイッチ、２００・・・ヒンジ
【図１】
2009206758.tif 000003
【図２】
2009206758.tif 000004
【図３】
2009206758.tif 000005
【図４】
2009206758.tif 000006
【図５】
2009206758.tif 000007
【図６】
2009206758.tif 000008
【図７】
2009206758.tif 000009
【図８】
2009206758.tif 000010
【図９】
2009206758.tif 000011
【図１０】
2009206758.tif 000012